(57)【要約】【課題】既設配管の管継手を床スラブから容易に撤去して新しい管継手と交換するとともに既設配管と同等の流量を確保する。【解決手段】床スラブ３の管継手２が固定された位置より一方の壁面７とは反対の位置で、管継手２の外側から所定距離だけ離れて管継手２に沿った円弧上に所定の大きさの穴６を微小間隔で複数開けた後、縦排水管１を各階毎に床スラブ３の下側近傍位置と、床スラブ３の上側で床スラブ３より一定高さの位置とで切断して撤去する。床スラブ３に開けた各穴６に工具を挿入して、各穴６の間を壊し複数の穴６を連結して円弧状の連結穴８を形成する。管継手２に連結した縦排水管１ａの上端部を保持して連結穴８の方向に揺らせながら引き寄せ、管継手２と連結穴８との間のモルタル５を破壊して管継手２を床スラブ３から撤去する。【選択図】  図２
2007138428.tif 000002
【特許請求の範囲】
【請求項１】
集合住宅等の建築物に有する配管の更新方法であって、
既設配管系統の管継手を固定した位置周囲の床スラブの管継手外側から所定距離だけ離れた円弧に沿って所定の大きさの穴を、微小間隔をおいて複数開け、
前記管継手に接続された縦配管を各階毎に床スラブの下側近傍位置と、床スラブの上側で床スラブより一定高さの位置の２個所で切断して撤去し、
前記床スラブに開けた複数の穴の間を壊して円弧状の連結穴を形成し、
前記床スラブの上部で前記管継手に連結している縦配管の残存部分に対して前記連結穴の方向の振動を与えながら前記連結穴の方に引寄せて前記管継手と連結穴との間のモルタルを破壊して前記管継手を床スラブから撤去し、
前記管継手を撤去にて形成された床スラブの貫通穴に新しい管継手を設置して固定し、固定した管継手に各配管を連結することを特徴とする配管の更新方法。
【請求項２】
前記床スラブに開ける複数の穴は、前記管継手の外径に対して１．５倍〜２倍の直径を有する円弧に沿って、直径が２５ｍｍ〜３０ｍｍで１ｃｍ〜２ｃｍの間隔で開ける請求項１記載の配管の更新方法。
【発明の詳細な説明】
【技術分野】
【０００１】
この発明は、集合住宅等の建築物における各フロアーを貫通して配設された既設の排水管等の配管を新しい配管に置き換える配管の更新方法、特に工事時間の短縮化と工事騒音の低減に関するものである。
【背景技術】
【０００２】
集合住宅等においては、図４に示すように、縦排水管１が接続された管継手２が各階の床スラブ３を貫いて固定され、この管継手２に各住居の流し台等からの排水管４が接続されている。この排水管１，４は、建築後、２０年から３０年経過すると、スライムの影響で配管が詰まったり、清掃時の損傷や配管自体の腐食により漏水が生じる。このため既設の排水管を新しい排水管に更新する必要がある。
【０００３】
この集合住宅等における排水管の更新方法として、例えば図５（ａ）に示すように、床スラブ３に埋設された管継手２を残して縦排水管１を管継手２の近傍で切断して取り外した後、管継手２の内面を目視しながら研磨して洗浄してからエポキシ樹脂をライニングし、図５（ｂ）に示すように、切断した部分に新しい直管１２を接合している。
【０００４】
この排水管の更新方法は、床スラブ３に埋設された管継手２を残したままでその他の部分を新しい管に置き換えているが、管継手２は、長期間使用した場合、図６に示すように、例えば各住居の流し台等から排水管４を通して流れる排水が流れる角部Ａが排水に含まれる異物による摩擦や、清掃するときの清掃要具による摩擦により磨耗して肉厚が薄くなっている。また、管継手２に接続した主排水管１のネジ部Ｂも磨耗して肉厚が薄くなっている。このように局部的に肉厚が薄くなっている状態の管継手２等をそのまま長期間使用していると、肉厚の薄くなっている部分から漏水が生じる危険性がある。
【０００５】
このような問題を解消する排水管の更新方法が特許文献１に開示されている。特許文献１に示された排水管の更新方法は、図７（ａ）に示すように、既設配管の管継手２を床スラブ３の上下面近傍で切断して、その上部と下部の主排水管１を撤去し、図Ｄ（ｂ）に示すように、床スラブ２に残された管継手２の直管部２ａに更新する管継手を貫通させて装着し、この管継手に更新する排水管を接続している。
【特許文献１】特開２００１−１５２５０１号公報
【発明の開示】
【発明が解決しようとする課題】
【０００６】
特許文献１に示すように、既設の管継手２の直管部分を床スラブ３に残し、この直管部分の内部に更新する管継手を装着させると、更新する管継手や排水管の口径は既設の配管の口径と比べると非常に小さくなり、十分な排水が困難になるとともに配管が詰まりやすくなってしまうという短所がある。
【０００７】
この発明は、このような短所を改善し、既設配管の管継手を床スラブから容易に撤去して新しい管継手と交換するとともに既設配管と同等の流量を確保することができる配管の更新方法を提供することを目的とするものである。
【課題を解決するための手段】
【０００８】
この発明の排水管路の更新方法は、集合住宅等の建築物に有する配管の更新方法であって、既設配管系統の管継手を固定した位置周囲の床スラブの管継手外側から所定距離だけ離れた円弧に沿って所定の大きさの穴を、微小間隔をおいて複数開け、前記管継手に接続された縦配管を各階毎に床スラブの下側近傍位置と、床スラブの上側で床スラブより一定高さの位置の２個所で切断して撤去し、前記床スラブに開けた複数の穴の間を壊して円弧状の連結穴を形成し、前記床スラブの上部で前記管継手に連結している縦配管の残存部分に対して前記連結穴の方向の振動を与えながら前記連結穴の方に引寄せて前記管継手と連結穴との間のモルタルを破壊して前記管継手を床スラブから撤去し、前記管継手を撤去にて形成された床スラブの貫通穴に新しい管継手を設置して固定し、固定した管継手に各配管を連結することを特徴とする。
【０００９】
前記床スラブに開ける複数の穴は、前記管継手の外径に対して１．５倍〜２倍の直径を有する円弧に沿って、直径が２５ｍｍ〜３０ｍｍで１ｃｍ〜２ｃｍの間隔で開けることが望ましい。
【発明の効果】
【００１０】
この発明は、床スラブに複数の小さな穴を開けて円弧状の連結穴を形成し、床スラブの上部で管継手に連結している縦配管の残存部分に対して連結穴の方向の振動を与えながら連結穴の方に引寄せて管継手と連結穴との間のモルタルを破壊して管継手を床スラブから撤去するから、管継手を床スラブから短時間で撤去することができ、既設配管を短時間で除去することができる。したがって既設配管を更新するときの作業性を向上することができ、更新費用を大幅に低減することができる。
【００１１】
また、床スラブに開ける複数の穴を、管継手の外径に対して１．５倍〜２倍の直径を有する円弧に沿って、直径が２５ｍｍ〜３０ｍｍで１ｃｍ〜２ｃｍの間隔で開けることにより、円弧状の連結穴を容易に形成することができるとともに、連結穴を床スラブのコンクリートとモルタルの境界付近に形成して、管継手と連結穴との間のモルタルを低騒音で簡単に破壊することができる。
【発明を実施するための最良の形態】
【００１２】
図１は、この発明の排水管の更新方法において、集合住宅等の各階の鉄筋コンクリートの床スラブ３を貫いてモルタル５で固定された管継手２に縦排水管１と各住居の流し台等からの排水管４が接続されている既設配管系統を撤去する方法を示す工程図である。この既設配管系統を撤去するときは、図１（ｂ）に示すように、ダイヤモンドカッターを使用して管継手２を固定した位置の周囲の床スラブ３の一部に穴６を開けて壊す。この床スラブ３の管継手２の周囲を壊す方法は、図２の床スラブ３の加工を示す工程図（ａ）に示すように、管継手２が固定された位置より一方の壁面７とは反対の位置で、管継手２の外側から所定距離だけ離れて管継手２に沿った円弧、例えば管継手２の外径に対して１．５倍〜２倍の直径を有する円弧上に所定の大きさ、例えば直径２５ｍｍ〜３０ｍｍの穴６を１ｃｍ〜２ｃｍの間隔で複数開ける。この複数の穴６を管継手２の外径に対して１．５倍〜２倍の直径を有する円弧に沿って開けることにより、複数の穴６を床スラブ３のコンクリートとモルタル５の境界付近に開けることができる。また、複数の直径が小さい穴６を開ければよいから、低騒音で穴６を開けることができる。
【００１３】
その後、図１（ｃ）に示すように、縦排水管１を各階毎に床スラブ３の下側近傍位置と、床スラブ３の上側で床スラブ３より一定高さ、例えば１．２ｍ〜１．５ｍの位置の２個所で切断して撤去し、一部の縦排水管１ａを管継手２に連結した状態で残す。次に、床スラブ３に開けた各穴６に例えばバール等の工具を挿入して、図２（ｂ）に示すように、各穴６の間のコンクリートやモルタル５を壊して複数の穴６を連結して円弧状の連結穴８を形成する。この連結穴８を形成するとき、複数の穴６の間隙は１ｃｍ〜２ｃｍであり、一部にせん断力が小さいモルタル５を有するから簡単に壊すことができる。
【００１４】
この状態で、各住居の流し台等からの排水管４を管継手２の近傍で切断し、作業者が管継手２に連結した縦排水管１ａの上端部を保持して連結穴８の方向に揺らせながら引き寄せる。この縦排水管１ａの振動と引き寄せる力により、図２（ｃ）に示すように、管継手２と連結穴８との間のモルタル５にひび割れ９が生じ、さらに縦排水管１ａを揺らせながら引き寄せると管継手２と連結穴８との間のモルタル５が破壊され、管継手２を床スラブ３から引抜くことができる。このようにして床スラブ３に複数の小さな穴６を開けて連結穴８を形成するだけで管継手２を床スラブ３から引抜くことができるから、壁面７に近接して設けられた管継手２を床スラブ３から短時間で撤去することができる。なお、この縦排水管１ａの管継手２と連結したネジ部の強度が弱いため、作業中に折れる場合もあるが、その場合は管継手２にバール等を挿入して作業を継続すれば良い。
【００１５】
このように管継手２を床スラブ３から引抜いた後、管継手２を引抜いて床スラブ３に形成された穴の周囲に残っているモルタル５を例えばノミとハンマーを使用して除去し、図１（ｄ）及び図２（ｄ）に示すように、床スラブ３に新設の管継手を取り付ける貫通穴１０を形成する。
【００１６】
この床スラブ３に形成した管通穴１０に、図２（ｅ）及び図３（ａ）に示すように、新しい管継手１１を設置し、管継手１１の周囲の隙間にモルタル５を充填して新しい管継手１１を床スラブ３に固定する。この新しい管継手１１としては、図３（ａ）に示すように、ＴＹ継手を使用して清掃時に清掃用具との間に生じる摩擦を低減する。この管継手１１に、図３（ｂ）に示すように、新しい縦排水管１や排水管４を接続して新しい排水管経路を形成する。この管継手１１に接続する縦排水管１や排水管４として排水用硬化塩化ビニルライニング鋼管を使用し、排水鋼管用可とう継手（ＭＤ継手）により連結することにより、ネジ込式継手を使用した場合のように連結部の肉厚が小さくなることを防ぐことができ、耐久性を向上させることができる。
【００１７】
前記説明では既設の排水管を更新する場合について説明したが、他の配管も同様にして更新することができる。
【図面の簡単な説明】
【００１８】
【図１】この発明の既設配管系統を撤去する方法を示す工程図である。
【図２】既設の管継手を撤去するときの床スラブに対する加工を示す工程図である。
【図３】新しい配管系統を設置する状態を示す工程図である。
【図４】集合住宅等に設けられた排水用の配管系統を示す構成図である。
【図５】従来の排水管の更新方法を示す工程図である。
【図６】既設の管継手の状態を示す断面図である。
【図７】従来の他の排水管の更新方法を示す工程図である。
【符号の説明】
【００１９】
１；縦排水管、２；管継手、３；床スラブ、４；排水管、５；モルタル、
６；穴、７；壁、８；連結穴、９；ひび割れ、１０；貫通穴、１１；新しい管継手。
【図１】
2007138428.tif 000003
【図２】
2007138428.tif 000004
【図３】
2007138428.tif 000005
【図４】
2007138428.tif 000006
【図５】
2007138428.tif 000007
【図６】
2007138428.tif 000008
【図７】
2007138428.tif 000009